(57)【特許請求の範囲】
【請求項１】
圧縮固化され，表面に文字や模様を表わす凹凸面（１１ｂ）を形成した固化布塊（１１）をアルミ箔シート（１２）で密に包んで半製品（１５）とし，その半製品の表面をスポンジシート（２７）を介してプレス押圧し，前記アルミ箔シートに固化布塊表面の凹凸面と同一の凹凸模様（１２ｂ）を形成する固化布製品であり、
前記固化布塊の上面外縁部（１１ａ）をなだらかな円弧面とし，アルミ箔シートの該上面外縁部に密着する部分を皺のない円滑面（１２ａ）とした携帯用アルミ箔被覆固化布製品。
【発明の詳細な説明】
【０００１】
【発明の属する技術分野】
本発明は携帯に便利なように圧縮固化され、表面に文字や模様を表わす凹凸面を有するタオル、シャツあるいはハンカチ等の固化布塊をアルミ箔シートで包み、かつそのアルミ箔シートに固化布塊の凹凸面と同一の凹凸模様を形成した携帯用アルミ箔被覆固化布製品に関するものである。
【０００２】
【従来の技術】
従来、例えば、旅行の際の携帯に便利なように、タオル、シャツあるいはハンカチ等を圧縮固化した固化布が創案されている。また、この固化布の表面に凹凸を形成して、文字や模様等を表わすことも創案されている。この固化布は小型なので携帯に便利であり、また、ほぐしたり、水に浸けることによって容易に原形に戻すことができるので、きわめて実用性が高い。
【０００３】
しかし、この固化布は主として綿を素材とした生地であり、通常、白色等の一色である。従って、その表面に文字や模様を凹凸面で形成しても目立たず装飾性に欠け、消費者に与えるインパクトが小さいといった側面を有していた。
【０００４】
係る点に鑑み、本発明者は先に、図１乃至図３に示すように、固化布塊３１をアルミ箔シート３２で包んだ状態で、スポンジシートを介在させてプレスし、アルミ箔シートの表面に固化布塊３１と同一の模様を現出させたアルミ箔被覆固化布製品３０を創案した（実用新案登録第３０５８２６６号）。
【０００５】
【発明が解決しようとする課題】
このアルミ箔被覆固化布製品３０は、その表面が金色や銀色のアルミ箔シートで３２覆われているので装飾性に富み、消費者に与えるインパクトが大きく、購買意欲をかき立てるといった大きな特長を有する。
【０００６】
しかし、このアルミ箔被覆固化布製品３０にも改善すべき点がある。それは、アルミ箔シート３２の上面外縁部３２ａに皺３３が発生し、装飾性が低下することである。
【０００７】
本発明は、係る点に鑑み創案されたもので、アルミ箔シートの上面外縁部に皺の発生しないアルミ箔被覆固化布製品を提供することを課題とする。
【０００８】
【課題を解決するための手段】
図４乃至図１４を参照して説明する。本発明に係るアルミ箔被覆固化布製品１０は、圧縮固化され、表面に文字や模様を表わす凹凸面１１ｂを形成した固化布塊１１をアルミ箔シート１２で密に包んで半製品１５とし、その半製品１５の表面をスポンジシート２７を介してプレス押圧し、前記アルミ箔シート１２に固化布塊１１表面の凹凸面１１ｂと同一の凹凸模様１２ｂを形成する固化布製品であり、前記固化布塊１１の上面外縁部１１ａをなだらかな円弧面とし、アルミ箔シート１２の該上面外縁部１１ａに密着する部分を皺のない円滑面１２ａとしたものである。なお、凹凸模様１２ｂには、模様のほかに文字、数字および図形等が含まれる。
【０００９】
【発明の実施の形態】
この発明に係る携帯用アルミ箔被覆固化布製品１０の一実施形態を、図４乃至図６に示す。この固化布製品１０は、固化布塊１１の上面外縁部１１ａをなだらかな円弧面とし、アルミ箔シート１２の当該状面外縁部に密着する部分を皺のない円滑面１２ａとしたことを特徴としている。
【００１０】
この固化布製品１０は、次のように成形する。まず、布を圧縮装置２０で圧縮固化して表面（上面）に凹凸面１１ｂによって形成される模様を持つ固化布塊１１を形成する（図７参照）。この際、固化布塊１１の上面外縁部１１ａをなだらかな円弧面とするために、圧縮装置２０の上型２１の外端部を湾曲面２１ａとする。なお、２２は下台、２４はポリウレタンシート、２３は長方形周囲枠である。
【００１１】
次に、この固化布塊１１を、アルミ箔シート１２で密に包んで半製品１５とする（図８，９）。続いて、その半製品１５の表面をスポンジシート２７（独立発泡ウレタンスポンジシート）を介してピストン２６でプレス押圧し、アルミ箔シート１２に固化布塊１１表面の凹凸面１１ｂと同一の凹凸模様１２ｂを形成する（図１０，１１）。この際、スポンジシート２７と同一材製の下敷２９を、半製品１５とプレス台２８の間に設けると、凹凸模様１２ｂがより鮮明となる。
【００１２】
このアルミ箔被覆固化布製品１０の特徴は、固化布塊１１の上面外縁部１１ａをなだらかな円弧面とし、アルミ箔シート１２の当該上面外縁部１１ａに密着する部分を皺のない円滑面１２ａとしたことである。固化布塊１１の上面外縁部１１ａをなだらかな円弧面としたことによって、アルミ箔シート１２の上面外縁部１１ａに密着する部分に皺が発生しないのは、その部分のアルミ箔シート１２が円弧面の高い部分から低い部分に沿って順にプレスされるため、当該アルミ箔シート１２が伸ばされるようにして押圧されるためであると考えられる。こうして形成された固化布製品１０は、その表面外縁部に皺がないので、その装飾性がさらに高められる。
【００１３】
図１２〜図１４を参考にして異なる実施形態を説明する。この実施形態のものは、図４〜図６に示す長方体状に代え、円盤状に形成したものである。
【００１４】
【実施例】
縦９７ｍｍ，横６７ｍｍ，厚さ１２ｍｍの直方体状で上面外縁部３２ａを平坦面とした固化布塊３１をアルミ箔シート３２で包み、下敷２９を配してプレス台２８上に載せ、スポンジシート２７を被せてピストン２６でプレスしたところ、幅約５ｍｍに亘って皺が発生した。
【００１５】
縦９７ｍｍ，横６７ｍｍ，厚さ１２ｍｍの直方体状で上面外縁部１１ａを円弧面１２ａとした固化布塊１１をアルミ箔シート１２で包み、下敷２９を配してプレス台２８上に載せ、スポンジシート２７を被せてピストン２６でプレスし、上面周囲に半径３ｍｍの円滑面１２ａを設けたところ、皺の発生が無かった。
【００１６】
【発明の効果】
本発明に係る携帯用アルミ箔被覆固化布製品１０は、固化布塊１１の上面外縁部１１ａをなだらかな円弧面とし、これによって、アルミ箔シート１２の当該上面外縁部１１ａに密着する部分を皺のない円滑面１２ａとしたので、装飾性がさらに高められ、製品価値が向上する。
【図面の簡単な説明】
【図１】従来例に係る固化布製品を示す平面図である。
【図２】図１におけるＡ−Ａ線断面図である。
【図３】図１におけるＢ−Ｂ線断面図である。
【図４】本発明に係るアルミ箔被覆固化布製品の一例示す平面図である。
【図５】図４におけるＣ−Ｃ線断面図である。
【図６】図４におけるＤ−Ｄ線断面図である。
【図７】この発明に係るアルミ箔被覆固化布製品において、固化布塊を成形する工程を示す断面図である。
【図８】同工程において、固化布塊をアルミ箔シートで包む前の状態を示す断面図である。
【図９】同工程において、固化布塊をアルミ箔シートで包んで半製品とした状態を示す断面図である。
【図１０】同工程において、複数の半製品をプレス押圧する前の状態を示す正面図である。
【図１１】同工程において、複数の半製品をプレス押圧した状態を示す正面図である。
【図１２】この発明における異なる形状をしたアルミ箔被覆固化布製品を示す平面図である。
【図１３】図１２におけるＥ−Ｅ線断面図である。
【図１４】図１２におけるＦ−Ｆ線断面図である。
【符号の説明】
１０    固化布製品
１１    固化布塊
１１ａ  上面外縁部（円弧面）
１１ｂ  凹凸面
１２    アルミ箔シート
１２ａ  円滑面
１２ｂ  凹凸模様
１５    半製品
２０    圧縮装置
２１    上型
２１ａ  湾曲面
２２    下台
２３    周囲枠
２４    ポリウレタンシート
２６    ピストン
２７    スポンジシート
２８    プレス台
２９    下敷
３０    固化布製品
３１    固化布塊
３２    アルミ箔シート
３２ａ  上面外縁部
３３    皺
【図１】
0003586832.tif 000002
【図２】
0003586832.tif 000003
【図３】
0003586832.tif 000004
【図４】
0003586832.tif 000005
【図５】
0003586832.tif 000006
【図６】
0003586832.tif 000007
【図７】
0003586832.tif 000008
【図８】
0003586832.tif 000009
【図９】
0003586832.tif 000010
【図１０】
0003586832.tif 000011
【図１１】
0003586832.tif 000012
【図１２】
0003586832.tif 000013
【図１３】
0003586832.tif 000014
【図１４】
0003586832.tif 000015